(57)【要約】【課題】点検工具の実用性を改善する。【解決手段】ロングポール１の端部に３６０度撮影カメラ２を備えた点検工具１００において、ロングポール１の側部に固定される四角柱型のスポンジ４と、スポンジ４の表面に固定されるＬ字金物５と、底面のマグネット６ｂの磁力によりＬ字金物５に装着される充電式ライト６と、ロングポール１の側部に固定される滑り止め用のグリップ７と、を備える。【選択図】図１
2020144045.tif 000002
【特許請求の範囲】
【請求項１】
支持棒の端部に撮像装置を備えた点検工具において、
前記支持棒の側部に固定される角柱型の載置体と、
前記載置体の表面に固定される金属体と、
磁石の磁力により前記金属体に装着される照明装置と、
を備えることを特徴とする点検工具。
【請求項２】
前記支持棒の側部に固定される滑り止め用の把持部を更に備えることを特徴とする請求項１に記載の点検工具。
【請求項３】
前記載置体の側部に固定され、前記撮像装置の大きさよりも長く伸びる伸縮棒を更に備えることを特徴とする請求項１又は２に記載の点検工具。
【請求項４】
前記伸縮棒の長さを縮めるために用いるコードを更に備えることを特徴とする請求項３に記載の点検工具。
【発明の詳細な説明】
【技術分野】
【０００１】
本発明は、マンホール内を点検する点検工具の技術に関する。
【背景技術】
【０００２】
従来、マンホール内を点検する作業が実施されている。保守者は、マンホール内の貯留水を排水装置で取り出した後、自らマンホール内に直接立ち入り、デジタルカメラで撮影することで、マンホール内に配備されているクロージャ等の通信設備の状態を把握していた。
【０００３】
近年、マンホール内の点検作業の効率化を図るため、非特許文献１のように、細いポールの端部に３６０度撮影カメラ（以下、カメラ）を装着し、当該ポールの側部に充電式ライト（以下、ライト）を取り付けた点検工具が用いられている。保守者は、地表からポールを把持してカメラをマンホール内に挿入して降下させ、充電式ライトで周囲を照らしつつ高さを変えながら撮影することで、点検作業を実施する。
【先行技術文献】
【非特許文献】
【０００４】
【非特許文献１】“管口カメラ調査”、株式会社フジヤマ、［平成31年2月26日検索］、インターネット＜URL : https://www.con-fujiyama.com/business/consultant/civildesign/abi13/abi14/＞
【発明の概要】
【発明が解決しようとする課題】
【０００５】
上記点検工具において、ライトは暗いマンホール内を照らすために必須であり、マンホール内に落下しないように粘着テープで固定される。例えば、保守者は、ポールを中心に４つのライトを４方向に１つずつ両端部を粘着テープで緩まないように巻き付けて固定する。
【０００６】
一方、点検作業は一定期間内に毎日実施され、各日の点検作業を確実に行うためにはライトを必ず毎日充電する必要がある。しかし、ライトは粘着テープで固定されているため、日々の点検作業の終了後に当該粘着テープを剥がし、充電終了後の次の日に再び粘着テープで固定しなければならず、ライトの取り付け及び取り外しが面倒という課題があった。
【０００７】
また、点検工具をマンホールに挿入した状態において、地表の保守者から見てカメラはライトの奥に位置するため、手前のライト本体によりカメラの位置を把握することが難しく、また、ライトの光はカメラの更に奥までは十分に届かないため、マンホール内の降下先の状況を確認することは困難である。それゆえ、カメラを降下中にマンホール内の構造物にぶつけてしまい故障するという課題もあった。一般にカメラは高価であり、交換すると不要な支出となる。また、同一の予備カメラがすぐに用意できなければ、点検作業のロスに繋がる。
【０００８】
本発明は、上記に鑑みてなされたものであり、点検工具の実用性を改善することを目的とする。
【課題を解決するための手段】
【０００９】
上記課題を解決するため、本発明の点検工具は、支持棒の端部に撮像装置を備えた点検工具において、前記支持棒の側部に固定される角柱型の載置体と、前記載置体の表面に固定される金属体と、磁石の磁力により前記金属体に装着される照明装置と、を備える。
【００１０】
上記点検工具において、前記支持棒の側部に固定される滑り止め用の把持部を更に備える。
【００１１】
上記点検工具において、前記載置体の側部に固定され、前記撮像装置の大きさよりも長く伸びる伸縮棒を更に備える。
【００１２】
上記点検工具において、前記伸縮棒の長さを縮めるために用いるコードを更に備える。
【発明の効果】
【００１３】
本発明によれば、点検工具の実用性を向上できる。
【図面の簡単な説明】
【００１４】
【図１】第１の実施形態に係る点検工具の側面図である。
【図２】図１に示した点検工具のＸ−Ｘ’での断面図である。
【図３】図１に示した点検工具（一部）の斜視図である。
【図４】第２の実施形態に係る点検工具の側面図である。
【図５】図４に示した点検工具のＸ−Ｘ’での断面図である。
【図６】図４に示した点検工具（一部）の斜視図である。
【発明を実施するための形態】
【００１５】
以下、本発明を実施する一実施の形態について図面を用いて説明する。
【００１６】
＜第１の実施形態＞
図１は、第１の実施形態に係る点検工具の側面図である。図２は、図１に示した点検工具のＸ−Ｘ’での断面図である。図３は、図１に示した点検工具（一部）の斜視図である。
【００１７】
第１の実施形態に係る点検工具１００は、図１〜図３に示すように、主として、ロングポール１と、３６０度撮影カメラ２と、アダプタ３と、スポンジ４と、４つのＬ字金物５と、４つの充電式ライト６と、グリップ７と、を備えて構成される。
【００１８】
ロングポール１は、点検工具１００の構成部材を支持するための細い支持棒である。
【００１９】
３６０度撮影カメラ２は、ロングポール１の一端部に装着され、３６０度方位を撮影可能な撮像装置である。３６０度撮影カメラ２は、無線又は有線で、保守者の保持するコンピュータ端末（不図示）と通信可能であり、当該コンピュータ端末にインストールされた撮像アプリで撮影処理が指示されることで撮影を行い、撮影画像をコンピュータ端末のモニタに出力し、コンピュータ端末内のファイルに保存する。
【００２０】
アダプタ３は、３６０度撮影カメラ２をロングポール１の一端部に回動自在に装着するための接合器具である。
【００２１】
スポンジ４は、四角柱型の形状を有し、長手方向の長さが充電式ライト６と概ね同じ長さを有し、長手方向に沿って内部中心に柱状の孔を有し、当該柱状の孔においてロングポール１に挿入され、３６０度撮影カメラ２の位置側でロングポール１の側部に固定される充電式ライトの載置体である。点検工具１００には、軽量化及び耐久性が求められるので、載置体の例としては振動にも強く成形容易なスポンジが好適である。また、２方向では光強度が足りず、８方向では充電式ライト６のコストがかかるので、４方向に対応する四角柱が好適である。勿論、プラスチック等の材質でもよいし、８角柱でもよい。
【００２２】
Ｌ字金物５は、スポンジ４の表面に固定される磁性を含む金属体である。Ｌ字金物５を４つ備え、２つのＬ字金物５をスポンジ４の一端部の表面全体を囲うように固定し、残り２つのＬ字金物５をスポンジ４の他端部の表面全体を囲うように固定する。なお、スポンジ４に対するＬ字金物５の固定方法は、粘着テープでもよいし、接着剤でもよい。また、金属体としては、平板金物等を用いてもよい。
【００２３】
充電式ライト６は、充電池を含み蛍光灯本体に接続される２つのソケット６ａと、２つのソケット６ａの底面にそれぞれ固定された２つのマグネット（磁石）６ｂと、を有し、当該２つのマグネット６ｂの磁力により、スポンジ４の一表面の両端にある各Ｌ字金物５にそれぞれ装着される照明装置である。充電式ライト６を４つ備え、スポンジ４の４つの表面にそれぞれ装着される。
【００２４】
グリップ７は、ロングポール１の径よりも大きい径を有し、ロングポール１の他端部に固定される滑り止め用の把持部である。把持部は、保守者が点検工具１００を持つための部材であり、スポンジやゴム等、様々な部材を用いて形成可能である。ロングポール１の径よりも大きい径とは、保守者が把持しやすいように、例えば、直径５ｃｍ程度が好ましい。
【００２５】
次に、上記点検工具１００の使用方法について説明する。
【００２６】
保守者は、ロングポール１、３６０度撮影カメラ２、アダプタ３、スポンジ４、Ｌ字金物５、充電式ライト６、グリップ７、コンピュータ端末（不図示）を、それぞれ別々に持ち運び可能である。
【００２７】
点検作業現場に到着後、保守者は、ロングポール１に、アダプタ３を用いて３６０度撮影カメラ２を装着するとともに、Ｌ字金物５が予め固定されたスポンジ４を挿入して固定する。その後、保守者は、４つの充電式ライト６を、底面のマグネット６ｂで、スポンジ４の４面でＬ字金物５にそれぞれ磁力で取り付ける。最後に、グリップ７をロングポール１に装着する。点検作業終了後は、その逆の手順となる。
【００２８】
このように、磁力で充電式ライト６を取り付け、取り外しするので、充電式ライト６の取り付け及び取り外しを簡便に実施できる。また、グリップ７をロングポール１に装着するので、点検工具１００が滑り落下を防止できる。
【００２９】
以上より、本実施形態によれば、ロングポール１の端部に３６０度撮像カメラを備えた点検工具１００において、スポンジ４をロングポール１の側部に固定し、Ｌ字金物５をスポンジ４の表面に固定し、充電式ライト６をマグネット６ｂの磁力によりＬ字金物５に取り付けるので、充電式ライトの取り付け及び取り外しの負担を軽減できる。
【００３０】
また、本実施形態によれば、滑り止め用のグリップ７をロングポール１の端部に固定したので、細いロングポール１を握り易くなり、点検工具１００が滑り落下する状況を回避できる。
【００３１】
＜第２の実施形態＞
第１の実施形態では、充電式ライトの取り付けの容易性を確保すること、滑りによる落下から点検工具を保護することを目的とした場合について説明した。第２の実施形態では、点検工具のうち特に高価な３６０度撮影カメラを保護しつつ、点検に適切な高さで撮像できるようにすることを目的とする。
【００３２】
図４は、第２の実施形態に係る点検工具の側面図である。図５は、図４に示した点検工具のＸ−Ｘ’での断面図である。図６は、図４に示した点検工具（一部）の斜視図である。
【００３３】
第２の実施形態に係る点検工具１００は、図４−図６に示すように、第１の実施形態で説明した構成に、指示棒８と、紐９と、を更に備えて構成される。
【００３４】
指示棒８は、スポンジ４の長手方向に沿って当該スポンジ４の側部に固定され、３６０度撮影カメラ２の大きさよりも長く伸びる伸縮棒である。指示棒８を４つ備え、４つの３６０度撮影カメラ２のそれぞれの間に固定され、当該固定位置から３６０度カメラ２の頭部（指示棒８から最も遠い３６０度カメラ２の端部）までの長さよりも長く伸長し、かつ、元の長さに縮む構造を持つ。伸縮性を有する構造であればよく、例えば、内側のロッドが外側のロッドに収容される入れ子構造、提灯のような蛇腹構造である。
【００３５】
紐９は、伸長された指示棒８の長さを縮めるために用いるコードである。紐９を指示棒８と同じ４つ備え、一端部が４つの指示棒８の先端の内側にそれぞれ装着され、他端部が４つの指示棒８の内部を介して後端から出力し、グリップ７の位置までの長さを有する。
【００３６】
次に、４つの指示棒８及び紐９の使用方法について説明する。
【００３７】
４つのうち１つの指示棒８は、３６０度撮像カメラ２をマンホール内の床から所定の高さに位置させるために用い、残りの３つの指示棒８は、３６０度撮像カメラ６をマンホール内の構造物から保護するために用いる。
【００３８】
例えば、保守者は、１つの指示棒８を、３６０度カメラ２の頭部よりも長く、かつ、３６０度撮像カメラ２がマンホール内の床から点検に適切な所定高になるように伸長する。また、保守者は、残り３つの指示棒８を、固定位置から３６０度カメラ２の頭部までの長さと同じ長さにする。
【００３９】
その後、保守者は、点検工具１００をマンホール内に挿入し、上記１つの指示棒８がマンホール内の床に到達したときに３６０度撮影カメラ２で撮影する。当該１つの指示棒８がマンホール内の床に到達するまで、３６０度撮影カメラ２は４つの指示棒８で囲われているので、３６０度撮影カメラ２を確実に保護できる。
【００４０】
但し、４つの指示棒８を伸長した状態で撮影すると、当該４つの指示棒８が撮影画像内に映り込み、マンホール内の状態を把握できない。そこで、保守者は、上記１つの指示棒８がマンホール内の床に到達した後、撮影開始前に、４つの紐９を全て引き上げて各指示棒８の長さを元の長さに戻す。これにより、３６０度撮影カメラ２を保護しつつ、点検に適切な所定の高さで、マンホール内の状態をより正確に撮影できる。
【００４１】
なお、４つの指示棒８を全て元の状態に戻す作業は時間がかかるので、２つの指示棒８のみ用いるようにしてもよい。また、紐９を引き上げる手間を排除するため、グリップ７の近くにリールを装着してもよい。
【００４２】
以上より、本実施形態によれば、３６０度撮像カメラ２の大きさよりも長く伸びる指示棒８をスポンジ４の側部に固定したので、３６０度撮影カメラ２を保護しつつ、点検に適切な所定の高さで、マンホール内の状態を撮像できる。
【００４３】
また、本実施形態によれば、指示棒８の長さを縮めるために用いる紐９を備えるので、３６０度撮影カメラ２を保護しつつ、点検に適切な所定の高さで、マンホール内の状態をより正確に撮像できる。
【符号の説明】
【００４４】
１００…点検工具
１…ロングポール
２…３６０度撮影カメラ
３…アダプタ
４…スポンジ
５…Ｌ字金物
６…充電式ライト
６ａ…ソケット
６ｂ…マグネット
７…グリップ
８…指示棒
９…紐
【図１】
2020144045.tif 000003
【図２】
2020144045.tif 000004
【図３】
2020144045.tif 000005
【図４】
2020144045.tif 000006
【図５】
2020144045.tif 000007
【図６】
2020144045.tif 000008
【手続補正書】
【提出日】令和2年7月28日(2020.7.28)
【手続補正１】
【補正対象書類名】特許請求の範囲
【補正対象項目名】全文
【補正方法】変更
【補正の内容】
【特許請求の範囲】
【請求項１】
支持棒の端部に撮像装置を備えた点検工具において、
前記支持棒の側部に固定される四角柱型の載置体と、
前記載置体の表面に固定される金属体と、
前記支持棒の側面を囲むように前記金属体に配置され、磁石の磁力によりそれぞれが脱着可能に前記金属体に装着される少なくとも４つの照明装置と、
を備えることを特徴とする点検工具。
【請求項２】
前記照明装置は、
充電式電池を備えることを特徴とする請求項１に記載の点検工具。
【請求項３】
前記載置体の側部に固定され、前記撮像装置の先端部の位置を超える位置まで伸びる伸縮棒を更に備えることを特徴とする請求項１又は２に記載の点検工具。
【請求項４】
前記伸縮棒の長さを縮めるために用いるコードを更に備えることを特徴とする請求項３に記載の点検工具。